(57)【要約】【課題】  所定の記憶部に対する画像の記憶制御を容易に行うことができる画像表示装置を提供する。【解決手段】  画像データを記憶する外部記憶媒体から前記画像データを読み出し表示部６に表示する画像を抽出する画像抽出部４０と、前記画像抽出部により抽出された前記画像を順次表示部に表示する表示制御部３６と、前記表示部に表示された前記画像の中から所定の記憶部に記憶させない画像を選択する画像選択部３０と、前記画像抽出部において抽出され、かつ前記画像選択部により選択された画像及び前記画像選択部により選択されなかった画像の前記所定の記憶部に対する記憶をそれぞれ制御する記憶制御部３０とを備える。【選択図】  図２
2010251839.tif 000002
【特許請求の範囲】
【請求項１】
画像データを記憶する外部記憶媒体から前記画像データを読み出し表示部に表示する画像を抽出する画像抽出部と、
前記画像抽出部により抽出された前記画像を順次表示部に表示する表示制御部と、
前記表示部に表示された前記画像の中から所定の記憶部に記憶させない画像を選択する画像選択部と、
前記画像抽出部において抽出され、かつ前記画像選択部により選択された画像及び前記画像選択部により選択されなかった画像の前記所定の記憶部に対する記憶をそれぞれ制御する記憶制御部と
を備えることを特徴とする画像表示装置。
【請求項２】
画像データを記憶する記憶部と、
前記記憶部から前記画像データを読み出し表示部に表示する画像を抽出する画像抽出部と、
前記画像抽出部により抽出された前記画像を順次表示部に表示する表示制御部と、
前記表示部に表示された前記画像の中から所定の記憶部に記憶させない画像を選択する画像選択部と、
前記画像抽出部において抽出され、かつ前記画像選択部により選択された画像及び前記画像選択部により選択されなかった画像の前記所定の記憶部に対する記憶をそれぞれ制御する記憶制御部と
を備えることを特徴とする画像表示装置。
【請求項３】
前記記憶制御部は、前記画像抽出部において抽出され、かつ前記画像選択部により選択されなかった画像を前記所定の記憶部に記憶させることを特徴とする請求項１または２記載の画像表示装置。
【請求項４】
前記記憶制御部は、前記画像選択部により選択された画像を、前記所定の記憶部とは異なる記憶部へ記憶させることを特徴とする請求項３記載の画像表示装置。
【請求項５】
前記記憶制御部は、前記画像抽出部において抽出された画像から、前記画像選択部により選択された画像が属するグループの画像を除いた画像を前記所定の記憶部に記憶させることを特徴とする請求項１または２記載の画像表示装置。
【請求項６】
前記記憶制御部は、前記画像選択部により選択された画像が属するグループの画像を、前記所定の記憶部とは異なる記憶部へ記憶させることを特徴とする請求項５記載の画像表示装置。
【請求項７】
前記記憶制御部は、前記画像抽出部において抽出され、かつ前記画像選択部により選択されなかった画像を前記所定の記憶部に記憶させる際に所定の保存形式で記憶させることを特徴とする請求項１または２記載の画像表示装置。
【請求項８】
前記記憶制御部は、前記画像選択部により選択された画像を前記所定の記憶部に記憶させる際に、前記所定の保存形式とは異なる保存形式で記憶させることを特徴とする請求項７記載の画像表示装置。
【請求項９】
前記記憶制御部は、前記画像抽出部において抽出された画像から、前記画像選択部により選択された画像が属するグループの画像を除いた画像を前記所定の記憶部に記憶させる際に、所定の保存形式で記憶させることを特徴とする請求項１または２記載の画像表示装置。
【請求項１０】
前記記憶制御部は、前記画像選択部により選択された画像が属するグループの画像を前記所定の記憶部に記憶させる際に、前記所定の保存形式とは異なる保存形式で記憶させることを特徴とする請求項９記載の画像表示装置。
【請求項１１】
前記所定の記憶部は、ネットワークを介して接続された外部記憶装置、内部記憶部及び外付け記憶部の中の少なくとも１つであることを特徴とする請求項１〜１０の何れか一項に記載の画像表示装置。
【請求項１２】
前記表示制御部は、前記画像抽出部により抽出された前記画像を、観賞用スライドショー表示よりも短時間で画像を切り換える確認用スライドショー表示により、前記表示部に表示することを特徴とする請求項１〜１１の何れか一項に記載の画像表示装置。
【発明の詳細な説明】
【技術分野】
【０００１】
本発明は、画像表示装置に関するものである。
【背景技術】
【０００２】
スライドショーの１シーンを切り出して、メモリカードに保存記録するデジタル画像記録装置が知られている（例えば、特許文献１参照）。
【先行技術文献】
【特許文献】
【０００３】
【特許文献１】特開２００９−２７２１３号公報
【発明の概要】
【発明が解決しようとする課題】
【０００４】
しかし、このデジタル画像記録装置においては、メモリカードに保存記録する画像を画像毎に選択する操作が必要であり、多くの画像を保存記録する場合には多くの操作が必要であった。
【０００５】
本発明の目的は、所定の記憶部に対する画像の記憶制御を容易に行うことができる画像表示装置を提供することである。
【課題を解決するための手段】
【０００６】
本発明の画像表示装置は、画像データを記憶する外部記憶媒体から前記画像データを読み出し表示部に表示する画像を抽出する画像抽出部と、前記画像抽出部により抽出された前記画像を順次表示部に表示する表示制御部と、前記表示部に表示された前記画像の中から所定の記憶部に記憶させない画像を選択する画像選択部と、前記画像抽出部において抽出され、かつ前記画像選択部により選択された画像及び前記画像選択部により選択されなかった画像の前記所定の記憶部に対する記憶をそれぞれ制御する記憶制御部とを備えることを特徴とする。
【０００７】
本発明の画像表示装置は、画像データを記憶する記憶部と、前記記憶部から前記画像データを読み出し表示部に表示する画像を抽出する画像抽出部と、前記画像抽出部により抽出された前記画像を順次表示部に表示する表示制御部と、前記表示部に表示された前記画像の中から所定の記憶部に記憶させない画像を選択する画像選択部と、前記画像抽出部において抽出され、かつ前記画像選択部により選択された画像及び前記画像選択部により選択されなかった画像の前記所定の記憶部に対する記憶をそれぞれ制御する記憶制御部とを備えることを特徴とする。
【発明の効果】
【０００８】
本発明の画像表示装置によれば、所定の記憶部に対する画像の記憶制御を容易に行うことができる。
【図面の簡単な説明】
【０００９】
【図１】本発明の実施の形態に係る画像表示装置の外観を示す斜視図である。
【図２】本発明の実施の形態に係る画像表示装置のシステム構成を示すブロック図である。
【図３】本発明の実施の形態に係る画像表示装置においてスライドショーが行われる際の画像の記憶制御処理について説明するためのフローチャートである。
【図４】スライドショーの実施前に表示されるメニュー画面を示す図である。
【図５】記憶部の設定を行う場合のメニュー画面を示す図である。
【図６】記憶画像サイズの設定を行う場合のメニュー画面を示す図である。
【図７】スライドショーが実施された画面を示す図である。
【図８】スライドショーの実施中に表示されるメニュー画面を示す図である。
【図９】スライドショーの実施中に表示される記憶キャンセルのメニュー画面を示す図である。
【発明を実施するための形態】
【００１０】
以下、図面を参照して、本発明の実施の形態に係る画像表示装置であるデジタルフォトフレーム（以下、ＤＰＦという。）について説明する。なお、一般に、ＤＰＦとしては机等の上に立て掛けて設置するものや、壁に掛けて設置するもの等が存在するが、本発明の実施の形態としては、机等に立て掛けて設置するものを例にして説明する。図１は、実施の形態に係るＤＰＦの外観を示す斜視図である。ＤＰＦ２は、ガラスやプラスチック等からなる装置本体４を備え、装置本体４の前面には、観賞用画像や時刻等の情報を電気的に表示する表示部としてのＬＣＤ表示部６が設けられている。また、装置本体４の前面には、音楽や音声が出力されるスピーカ８と図示しないＤＰＦ２の操作用リモコンから出力される赤外線を検出する赤外線検出部１０が設けられている。また、装置本体４の上面には、ＤＰＦ２の電源のオン／オフ状態を切り替える電源スイッチ１２及びＤＰＦ２の機能設定やＬＣＤ表示部６の表示設定の際に使用する操作キー１４が設けられている。また、装置本体４の一方の側面には、画像や音楽等のデータが記憶されたメモリカードが挿入されるメモリカードスロット１６、ＵＳＢ機器が接続されるＵＳＢポート１８及びインターネット等のネットワークに接続するために用いられるネットワーク端子２０が設けられている。  
図２は、実施の形態に係るＤＰＦのシステム構成を示すブロック図である。ＤＰＦ２の各部を統括的に制御するＣＰＵ３０には、上述の赤外線検出部１０、電源スイッチ１２、操作キー１４、メモリカードスロット１６、ＵＳＢポート１８及びネットワーク端子２０が接続されている。また、ＣＰＵ３０には、画像や音楽等のデータを一時的に記憶するバッファメモリ３２、ＤＰＦ２の機能の設定、画像や音楽等のデータ及び画像の画質に関する情報が記憶される内部メモリ３４が接続されている。また、ＣＰＵ３０には、ＬＣＤ表示部６に表示される画像や情報等の表示制御を行う表示制御部３６、スピーカ８から出力される音楽や音声の再生制御を行う再生制御部３８が接続されている。また、ＣＰＵ３０には、画像データを記憶するメモリカードやＵＳＢメモリ等の外部記憶媒体から画像データを読み出し、ＬＣＤ表示部６に表示する画像を抽出する抽出部４０が接続されている。また、ＣＰＵ３０には、所定の記憶部に記憶をした画像の履歴を記憶する履歴記憶部４２が接続されている。また、図２に示すように、ＤＰＦ２は、ネットワーク端子２０を介して接続されるインターネット等のネットワーク４６上に存在するＷｅｂサーバ４８に接続されている。
【００１１】
次に、図３のフローチャートを参照して、ＤＰＦにおいて確認用スライドショーが行われる際の画像の記憶制御処理について説明する。ここで確認用スライドショーにおいては、ＬＣＤ表示部６に複数の観賞用の画像を所定時間間隔で順次表示させる観賞用スライドショーよりも短時間で画像の切り換えが行われる。
【００１２】
ＣＰＵ３０は、操作者によりＤＰＦ２の電源スイッチ１２がオンされ、操作キー１４の操作により確認用スライドショーの設定が指示された場合には、ＬＣＤ表示部６に図４に示すような、メニュー画面を表示する（ステップＳ１０）。図４に示すメニュー画面において、操作者が操作用リモコンや操作キー１４を用いて「記憶部」を選択すると、ＬＣＤ表示部６に図５に示すような、記憶部の選択肢を示したメニュー画面が表示される。ここで図５に示すメニュー画面には、ＬＣＤ表示部６に表示される画像を記憶させる記憶部の選択肢である、Ｗｅｂサーバ、内部メモリ、メモリカード、ＵＳＢメモリが表示されている。従って操作者はこのメニュー画面上において、画像を記憶させるための記憶部を１つ選択する。この実施の形態ではＷｅｂサーバ４８が選択されたとする。図５に示すメニュー画面において、記憶部の選択を行うと、再度、図４に示すメニュー画面が表示され、操作者が「記憶画像サイズ」を選択すると、ＬＣＤ表示部６に図６に示すような、記憶画像サイズの選択肢を示したメニュー画面が表示される。ここで図６に示すメニュー画面には、画像の記憶画像サイズの選択肢であるＱＶＧＡ、ＶＧＡ、ＷＶＧＡの画像サイズが表示されている。従って操作者は、このメニュー画面上において画像を記憶する際の記憶画像サイズを１つ選択する。この実施の形態においては、ＶＧＡが選択されたとする。
【００１３】
次に、抽出部４０は、メモリカードスロット１６に装着されているメモリカードに記憶されている画像データの中から特定の画像データを抽出する（ステップＳ１１）。ここで特定の画像データとして、メモリカードに記憶されている画像データの中から前回までに所定の記憶部に記憶されていない画像データが、履歴記憶部４２の履歴を参照して抽出される。
【００１４】
抽出部４０による画像の抽出終了後、表示制御部３６により、抽出された画像を対象として確認用スライドショーが開始され（ステップＳ１２）、図７に示すように、ＬＣＤ表示部６に最初の画像が表示される（ステップＳ１３）。ＬＣＤ表示部６に画像が表示されている間、ＣＰＵ３０は、操作者による操作用リモコンや操作キー１４の操作によりメニュー画面表示の選択が行われたか否かを判断し（ステップＳ１４）、メニュー画面表示の選択が行われたと判断した場合には、ＬＣＤ表示部６に図８に示すような、メニュー画面が表示される（ステップＳ１５）。そして図８に示すように、操作者による操作用リモコンや操作キー１４の操作により、「記憶キャンセル」が選択されると、図９に示すメニュー画面が表示される。このメニュー画面において、操作者による操作用リモコンや操作キー１４の操作により、「この画像のみ」が選択されると、ＬＣＤ表示部６に表示されている画像のみに対して記憶キャンセルの処理が行われ（ステップＳ１６）、画像の表示を終了する（ステップＳ１７）。一方、ステップＳ１４においてメニュー画面の選択が行われなかったと判断した場合には、ＬＣＤ表示部６に表示されていた画像を所定の記憶部として設定されたＷｅｂサーバ４８に設定された記憶形式であるＶＧＡの画像サイズで記憶させる（ステップＳ１８）。即ち、ネットワーク端子２０を介して接続されるネットワーク４６上に存在するＷｅｂサーバ４８にＬＣＤ表示部６に表示されていた画像の画像データをアップロードし記憶させる。
【００１５】
そして、ＣＰＵ３０は次にＬＣＤ表示部６に表示する画像があるか否か判断し（ステップＳ１９）、次の画像がある場合には、次に表示する画像をＬＣＤ表示部６に表示し（ステップＳ２０）、ステップＳ１４〜Ｓ２０の処理を繰り返す。ＬＣＤ表示部６に表示する次の画像がない場合には、確認用スライドショーを終了する。確認用スライドショーが終了した後、記憶した画像を対象にスライドショーが自動再生される。
【００１６】
この実施の形態に係るＤＰＦによれば、撮影した画像の中でほとんどの画像を記憶したり、一部の画像はピンボケなどで記憶したくない状況の場合、少ない操作で任意の画像だけ記憶することができる。
【００１７】
なお、上述の実施の形態においては、メモリカードに記憶されている画像データの中から特定の画像データを抽出させる場合には、前回までに所定の記憶部に記憶されていない画像データが、履歴記憶部４２の履歴を参照して抽出されるが、特定の画像データとして、メモリカードに記憶されている全ての画像データを抽出してもよい。
【００１８】
また、上述の実施の形態においては、確認用スライドショーにより表示された画像を所定の記憶部に記憶させる場合には、表示が終了する毎にその画像を所定の記憶部に記憶させているが、確認用スライドショーによる表示前や表示後、指定した日時などにおいて、画像をまとめて所定の記憶部に記憶させるようにしてもよい。確認用スライドショーの表示前に記憶させた場合、表示後に必要に応じて所定の記憶部に記憶された画像を削除、移動または修正する。
【００１９】
また、上述の実施の形態においては、所定の記憶部に記憶させる特定の画像データを外部記憶媒体であるメモリカードに記憶されている画像の中から抽出しているが、ＵＳＢメモリや内部メモリ３４に記憶されている画像の中から抽出してもよい。
【００２０】
また、上述の実施の形態においては、図９に示すメニュー画面において「この画像のみ」を選択し、ＬＣＤ表示部６に表示されている画像のみに対して記憶キャンセルの処理を行っているが、図９に示すメニュー画面において、「この画像と同じ撮影日の画像」や「この画像と同じ撮影場所の画像」、「この画像と同じ撮影シーンの画像」を選択して、表示されている画像に属するグループの画像に対してキャンセル処理を行ってもよい。即ち、「この画像と同じ撮影日の画像」が選択された場合には、画像に付加された撮影日時の情報から、表示されている画像と同じ撮影日時の情報が付加された画像について記憶キャンセルの処理を行う。また、「この画像と同じ撮影場所の画像」が選択された場合には、画像に付加されたＧＰＳモジュールにより受信された撮影場所（撮影位置）の情報から、表示されている画像と同じ撮影場所（撮影位置）の情報が付加された画像について記憶キャンセルの処理を行う。また、「この画像と同じ撮影シーンの画像」が選択された場合には、画像に付加された撮影モードの情報から、表示されている画像と同じ撮影モードの情報が付加された画像について記憶キャンセルの処理を行う。なお、既に確認用スライドショー表示が終了し、記憶部に記憶された画像については対象外としてもよい。
【００２１】
また、上述の実施の形態において、ＬＣＤ表示部６に表示されている画像について、予め設定した記憶画像サイズと異なる記憶画像サイズで、記憶部に記憶するようにしてもよい。即ち、図８に示すメニュー画面が表示された場合に、操作者による操作用リモコンや操作キー１４の操作により、「記憶画像サイズ変更」が選択されると、図６に示す記憶画像サイズのメニュー画面が表示される。そして、記憶画像サイズの選択肢から操作者の希望である例えばＱＶＧＡの画像サイズを選択すると、変更された画像サイズであるＱＶＧＡの画像サイズの画像を所定の記憶部に記憶させる。この場合においても確認用スライドショーにより表示される他の画像は予め設定されたＶＧＡの画像サイズで記憶させる。なお、ＬＣＤ表示部６に表示されている画像に属するグループの画像（ＬＣＤ表示部６に表示されている画像と同じ撮影日の画像、ＬＣＤ表示部６に表示されている画像と同じ撮影場所の画像、ＬＣＤ表示部６に表示されている画像と同じ撮影シーンの画像）について、変更された画像サイズであるＱＶＧＡの画像サイズの画像を所定の記憶部に記憶させてもよい。
【００２２】
また、上述の実施の形態において、ＬＣＤ表示部６に表示されている画像について、予め設定した記憶部と異なる記憶部に記憶するようにしてもよい。即ち、図８に示すメニュー画面が表示された場合に、操作者による操作用リモコンや操作キー１４の操作により、「記憶部変更」が選択されると、図５に示す記憶部のメニュー画面が表示される。そして、記憶部のメニュー画面から操作者の希望の記憶部である。例えば内部メモリを選択すると、変更された記憶部である内部メモリに画像を記憶させる。この場合においても確認用スライドショーにより表示される他の画像は予め設定されたＷｅｂサーバに記憶させる。なお、ＬＣＤ表示部６に表示されている画像に属するグループの画像（ＬＣＤ表示部６に表示されている画像と同じ撮影日の画像、ＬＣＤ表示部６に表示されている画像と同じ撮影場所の画像、ＬＣＤ表示部６に表示されている画像と同じ撮影シーンの画像）について、変更された記憶部である内部メモリに記憶させてもよい。
【００２３】
また、上述の実施の形態においては、所定の記憶部としてＷｅｂサーバを選択しているが、Ｗｅｂサーバ内に作成したアルバムの中の所定のアルバムを所定の記憶部として選択するようにしてもよい。
【産業上の利用可能性】
【００２４】
本発明は、ＤＰＦ等の画像表示装置に利用することができる。
【符号の説明】
【００２５】
２…画像表示装置、４…装置本体、６…ＬＣＤ表示部、１４…操作キー、１６…メモリカードスロット、１８…ＵＳＢポート、３０…ＣＰＵ、３２…バッファメモリ、３４…内部メモリ、４０…抽出部、４２…履歴記憶部、４８…Ｗｅｂサーバ。
【図１】
2010251839.tif 000003
【図２】
2010251839.tif 000004
【図３】
2010251839.tif 000005
【図４】
2010251839.tif 000006
【図５】
2010251839.tif 000007
【図６】
2010251839.tif 000008
【図７】
2010251839.tif 000009
【図８】
2010251839.tif 000010
【図９】
2010251839.tif 000011